(57)【要約】【課題】コンクリートのより正確な流動性の測定に寄与する測定装置を提供すること。【解決手段】測定装置(10)は、開放された上端(22a)を含む上部(22)及び閉鎖された下端(24a)を含む下部(24)からなる筒状容器(12)を備える。筒状容器は、その上部及び下部にそれぞれ筒状容器の周方向へ間隔をおいて設けられたコンクリート中のモルタル成分の流入を許す複数列の孔群(26)及びモルタル成分の流入量を示す複数列の目盛(28)を有する。測定装置は、また、筒状容器の内部に配置され筒状容器の内部を独立した複数の空間(32)に仕切る仕切り部材(14)と、複数の閉鎖部材(16)とを備える。複数の空間はそれぞれ複数列の孔群に連通している。複数の閉鎖部材はそれぞれ複数列の孔群を解除可能に閉鎖する。【選択図】図１
2019158812.tif 000002
【特許請求の範囲】
【請求項１】
開放された上端を含む上部及び閉鎖された下端を含む下部からなる筒状容器であって前記上部及び前記下部にそれぞれ前記筒状容器の周方向へ間隔をおいて設けられた、コンクリート中のモルタル成分の流入を許す複数列の孔群及び前記モルタル成分の流入量を示す複数列の目盛を有する筒状容器と、
前記筒状容器の内部に配置され前記筒状容器の内部を互いに独立した複数の空間に仕切る仕切り部材であって前記複数の空間がそれぞれ前記複数列の孔群に連通する仕切り部材と、
前記複数列の孔群をそれぞれ解除可能に閉鎖する複数の閉鎖部材とを備える、コンクリートの流動性測定装置。
【請求項２】
前記仕切り部材は、前記筒状容器の軸線の周りに等間隔をおいて配置され前記軸線から放射方向へ伸びかつ前記筒状容器の内壁に接し、また、前記筒状容器の下端に接する複数の板部を有する、請求項１に記載のコンクリートの流動性測定装置。
【請求項３】
前記閉鎖部材は、前記筒状容器の上部において前記筒状容器の内壁及び前記仕切り部材の互いに隣接する２つの板部に当接可能である円弧状の横断面を有する板部と、該板部に連なる、前記筒状容器の上端に係合可能の鍔部とを有する、請求項２に記載のコンクリートの流動性測定装置。
【発明の詳細な説明】
【技術分野】
【０００１】
本発明は、コンクリートの流動性の測定に用いられる装置に関する。
【背景技術】
【０００２】
従来、開放された上端を含む上部及び閉鎖された下端を含む下部からなる筒状容器であってその上部及び下部にそれぞれ筒状容器の周方向へ間隔をおいて設けられたコンクリート（生コンクリート）中のモルタル成分の流入を許す複数列の孔群及び前記モルタル成分の流入量を示す複数列の目盛を有する筒状容器からなるコンクリートの流動性測定装置が提案されている。
【０００３】
この測定装置によれば、コンクリートの流動性の測定に際し、筒状容器がその開放上端を空中に残して測定対象であるコンクリート中に挿入され、予め定められた所定の時間、前記コンクリート中に存置される。存置の間に前記コンクリートのモルタル成分が筒状容器の上部の複数の孔群を経て筒状容器内に流入しその下部に貯まる。所定時間の経過後、筒状容器が前記コンクリート中から抜き出される。前記コンクリートの流動性は、筒状容器の下部に貯まったモルタル成分の量を目盛から読み取ることにより評価される。
【０００４】
ところで、コンクリートの流動性はその測定を複数回行うことによってより正確に評価することができる。しかし、これには労力と時間を要するという難点がある。
【先行技術文献】
【特許文献】
【０００５】
【特許文献１】特開平９−３０４２６０号公報
【発明の概要】
【発明が解決しようとする課題】
【０００６】
本発明の目的は、前記したところに鑑み、コンクリートのより正確な流動性の評価に寄与する測定装置を提供することにある。
【課題を解決するための手段】
【０００７】
本発明はコンクリートの流動性を測定する装置に係る。測定装置は、開放された上端を含む上部及び閉鎖された下端を含む下部からなる筒状容器を備える。前記筒状容器は、その上部及び下部にそれぞれ前記筒状容器の周方向へ間隔をおいて設けられたコンクリート中のモルタル成分の流入を許す複数列の孔群及び前記モルタル成分の流入量を示す複数列の目盛を有する。前記測定装置は、また、前記筒状容器の内部に配置され前記筒状容器の内部を互いに独立した複数の空間に仕切る仕切り部材であって前記複数の空間がそれぞれ前記複数列の孔群に連通する仕切り部材と、前記複数列の孔群をそれぞれ解除可能に閉鎖する複数の閉鎖部材とを備える。
【０００８】
前記測定装置によるコンクリートの流動性の測定は、例えば次のようにして行うことができる。まず、前記筒状容器を、その開放上端を空中に残して、測定対象であるコンクリートに中に挿入する。次いで、複数の閉鎖部材による複数列の孔群の閉鎖を所定の時間をおいて順次に解除する。これにより、前記コンクリート中のモルタル成分が前記筒状容器の上部の複数列の孔群を順次に経て、前記仕切り部材により仕切られた前記筒状容器内の複数の空間内に流入し、貯まる。その後、前記筒状容器を前記コンクリート中から抜き出し、前記筒状容器の各空間内に貯留されたモルタル成分の量を各列の目盛から読み取る。
【０００９】
本発明によれば、１つの測定装置による１回の測定行為により、コンクリート中からの時間的な間隔をおいた複数の試料（モルタル成分）の採取及び採取量の読み取りが可能である。これにより、より精度の高いコンクリートの流動性の評価を行うことができる。
【００１０】
前記仕切り部材は、例えば前記筒状容器の軸線の周りに等間隔をおいて配置され前記軸線から放射方向へ伸びかつ前記筒状容器の内壁に接し、また、前記筒状容器の下端に接する複数の板部を有するものとすることができる。また、前記閉鎖部材は、前記筒状容器の上部において前記筒状容器の内壁及び前記仕切り部材の互いに隣接する２つの板部に当接可能である円弧状の横断面を有する板部と、該板部に連なる、前記筒状容器の上端に係合可能の鍔部とを有するものとすることができる。
【図面の簡単な説明】
【００１１】
【図１】本発明の一の実施形態に係るコンクリートの流動性測定装置の斜視図である。
【図２】（ａ）及び（ｂ）は、それぞれ、図１に示すコンクリートの流動性測定装置の平面図及び部分断面を含む正面図である。
【図３】閉鎖部材の一例を示す斜視図である。
【発明を実施するための形態】
【００１２】
図１並びに図２の（ａ）及び（ｂ）を参照すると、本発明の一の実施形態に係るコンクリート（生コンクリート）の流動性を測定するための装置が全体に符号１０で示されている。
【００１３】
測定装置１０は、筒状容器１２と、仕切り部材１４と、複数（図示の例では４つ）の閉鎖部材１６とを備える。
【００１４】
図示の筒状容器１２は、プラスチック製、ガラス製等の透明な円筒１８と、該円筒に固定され円筒１８の開放両端の一方に液密に嵌合されこれを塞ぐ閉塞部材２０とにより形成されている。このように形成された筒状容器１２は、円筒１８の前記開放両端の他の一方（上方）からなる開放された上端２２ａを含む上部２２と、閉塞部材２０が規定する下端２４ａ（図２（ｂ）参照）を含む下部２４とを有する。
【００１５】
筒状容器１２の上部２２及び下部２４には、それぞれ、前記コンクリート中のモルタル成分の流入を許す複数列（図示の例においては４列）の孔群２６及び前記モルタル成分の流入量を測るための複数列（図示の例においては４列）の目盛２８が設けられている。複数列の孔群２６及び複数列の目盛２８は、それぞれ、筒状容器１２（円筒１８）の周方向に互いに間隔をおいて設けられている。図示の孔群２６は、各列において上下方向に互いに間隔をおいて配置された複数の円孔の集合からなる。図示の例に代えて、孔群２６は、各列において上下方向に伸びる１つの長孔の集合（全部で４つ）からなるものとすることができる。
【００１６】
測定装置１０による前記コンクリートの流動性の測定に際しては、筒状容器１２が、その下部２４（より詳細には閉塞部材２０）から前記コンクリート中に差し込まれ、その上端２２ａを空中に残して前記コンクリート中に所定時間、存置される。
【００１７】
図示の例においては、筒状容器１２の上部２２に該上部の周囲を取り巻く板状の鍔３０が設けられている。鍔３０は、筒状容器１２の上端２２ａと、各列の孔２６との間に位置する。これによれば、筒状容器１２の前記コンクリート中への差し込みを鍔３０が前記コンクリートの表面に接するまで行うことにより、筒状容器１２の孔群２６が前記コンクリート中に埋もれかつ筒状容器１２の上端２２ａが空中に残る状態におくことができる。
【００１８】
仕切り部材１４は、筒状容器１２の内部、すなわち上部２２および下部２４の双方の内部を互いに独立した複数（図示の例では４つ）の空間３２（図２（ｂ）参照）に仕切る。
【００１９】
図示の仕切り部材１４は、筒状容器１２の軸線の周りに等間隔をおいて配置され筒状容器１２の前記軸線から放射方向へ伸びる複数（図示の例では４つ）の板部１４ａを有する。４つの板部１４ａは前記放射方向における先端において筒状容器１２の内壁１２ａ（図２（ｂ）参照）に接し、また、前記軸線方向における下方の先端（下端２４ａ）において閉塞部材２０に接している。これにより、前記コンクリートの流動性の測定の際に空間３２に受け入れられる前記コンクリートのモルタル成分の空間３２相互間における移動が阻止される。
【００２０】
仕切り部材１４により仕切られた４つの空間３２は、それぞれ、４列の孔群２６に連通している。このことから、筒状容器１２を前記コンクリート中に差し込むとき、前記コンクリート中のモルタル成分が４列の孔群２６の一つを通して一つの空間３２内に流入する。各空間３２内に流入した前記モルタル成分の量は、筒状容器１２を前記コンクリート中から空中へ引き上げた後、各列の目盛２８から読み取ることができる。
【００２１】
複数（図示の例では４つ）の閉鎖部材１６は、それぞれ、複数列の孔群２６を解除可能に閉鎖する働きをなす。
【００２２】
図示の閉鎖部材１６は円弧状の横断面を有する板部１６ａ（図３参照）と、該板部に連なる鍔部１６ｂであって筒状容器１２の上端２２ａに当接又は係合可能である鍔部１６ｂとを有する。各閉鎖部材１６の円弧状の板部１６ａは、各列の複数の円孔（２６）の全部を閉鎖することが可能である長さ寸法を有する。図示の例にあっては、円弧状の板部１６ａは、筒状容器１２の上端２２ａから各列における最下方の円孔（２６）の直下までの距離に相当する長さ寸法を有する。図示の例に代えて、筒状容器１２の上端２２ａから下端２４ａまでの距離に相当する長さ寸法を有するものとすることができる。各閉鎖部材１６は、その円弧状の板部１６ａを、筒状容器１２の上端２２ａから、仕切り部材１４によって仕切られた筒状容器１２の各空間３２に差し込むことができ、また、その鍔部１６ｂにおいて筒状容器１２の上端２２ａに掛け、各空間３２内に保持することができる。
【００２３】
閉鎖部材１６の円弧状の板部１６ａは、筒状容器１２の上部２２内において、筒状容器１２の内壁１２ａと、仕切り部材１４の互いに隣接する２つの板部１４ａとに接する。より詳細には、円弧状の板部１６ａはその内外両周面３３ａ、３３ｂ（図３参照）のうちの外周面３３ｂにおいて筒状容器１２の上部２２の内壁１２ａに接し、また、その周方向における両側面３３ｃ、３３ｄにおいて互いに隣接する仕切り部材１４の２つの板部１４ａにそれぞれ接する。これにより、各列の複数の円孔（２６）が閉鎖部材１６の円弧状の板部１６ａに覆われ又は閉鎖され、円孔（２６）を通しての前記モルタル成分の移動が阻止される。
【００２４】
閉鎖部材１６は、その鍔部１６ｂを指でつまんでその板部１６ａを筒状容器１２の各空間３２から引き出すことができ、これにより、各列の円孔（２６）の閉鎖を解除することができる。
【００２５】
この測定装置１０による前記コンクリートの流動性の測定に当たっては、全閉鎖部材１６により筒状容器１２の孔群（全円孔）２６を閉鎖した状態で、筒状容器１２を鍔３０が前記コンクリートの表面に接することとなるまで前記コンクリート中に挿し込む。
【００２６】
次に、筒状容器１２内から４つの閉鎖部材１６を所定の時間的間隔をおいて順次に引き上げ、４列の円孔（２６）についての閉鎖状態を順次に解除する。これにより、筒状容器１２の上部２２の４列の円孔（２６）を通して、前記コンクリート中のモルタル成分が４つの空間３２内に順次に流入し、筒状容器１２の下部２４内に貯まる。前記時間的間隔は例えば２．５秒間に設定することができる。最後の閉鎖部材１６の引き上げから２．５秒間が経過した後、筒状容器１２を前記コンクリート中から引き上げる。
【００２７】
この測定装置１０による前記コンクリートの流動性の測定は、また、次のようにして行うことが可能である。すなわち、全閉鎖部材１６を引き上げて筒状容器１２の全円孔（２６）の閉鎖を解除し、全円孔（２６）を開放した状態で筒状容器１２を鍔３０が前記コンクリートの表面に接することとなるまで前記コンクリート中に挿し込む。これにより、筒状容器１２の上部２２の４列の円孔（２６）を通して、前記コンクリート中のモルタル成分が筒状容器１２の４つの空間３２内に同時に流入する。
【００２８】
次に、４つの閉鎖部材１６を所定の時間的間隔をおいて順次に押し下げ、４列の円孔（２６）を順次に閉鎖し、筒状容器１２の４つの空間３２内への前記コンクリートのモルタル成分の流入を順次に停止する。前記時間的間隔は、同様に、例えば２．５秒間に設定することができる。最後の閉鎖部材１６の押し下げ後、筒状容器１２を前記コンクリート中から引き上げる。
【００２９】
本発明の一の実施形態によれば、１つの測定装置１０で、同一のコンクリート中から４つの異なる時間内に試料（モルタル成分）を４つの空間３２に採取することができる。これにより、１つの試料を採取する場合と比べて、前記コンクリートの流動性についてのより正確な評価を行うことができる。また、前記４つの試料を得るために必要な一つの測定装置１０の前記コンクリート中への投入及び引き揚げは、これを一回とすることができることから、これを複数回としあるいは複数の測定装置を使用する従来と比べて、コンクリートの流動性の測定をより容易にまた短時間のうちに行うことができる。
【００３０】
測定装置１０の筒状容器１２における孔群２６の列数、仕切り部材１４が仕切る空間３２の数、及び閉鎖部材１６の数を、これらを４とする図示の例に代えて、２若しくは３あるいは５以上とすることができる。
【符号の説明】
【００３１】
１０  測定装置
１２  筒状容器
１４  仕切り部材
１６  閉鎖部材
２２、２２ａ  上部及び上端
２４、２４ａ  下部及び下端
２６  孔群
２８  目盛
３０  鍔
【図１】
2019158812.tif 000003
【図２】
2019158812.tif 000004
【図３】
2019158812.tif 000005